(57)【要約】【課題】任意の室内機において、通信線の遮断により通信異常が発生した場合においても能力を落とさずに、システムの稼動を可能とすること。【解決手段】１台の室外機１と複数台の室内機２Ａ、２Ｂとを共通の第１通信線３で接続すると共に、前記室内機２Ａ、２Ｂをグループ分けしてグループ内の前記室内機２Ａ、２Ｂ同士を第２通信線４で接続した空気調和機のシステムを構成し、前記室外機１は前記室内機２Ａ、２Ｂを制御し、前記室内機２Ａ、２Ｂが前記第１通信線３の遮断により通信異常となった場合、通信異常の前記室内機２Ａを、グループ内の他の前記室内機２Ｂから前記第２通信線４を介して制御する。【選択図】  図２
2004257639.tif 000002
【特許請求の範囲】
【請求項１】
室内機と制御信号を送受信する室外送受信手段を備える一台の室外機と、前記室外機と制御信号を送受信する第１室内送受信部と他の室内機と制御信号を送受信する第２室内送受信部を備える複数台の室内機からなり、
前記室外送受信手段と前記第１室内送受信部とを共通の第１通信線で接続すると共に、前記室内機をグループ分けしてグループ内の前記第２室内送受信部同士を第２通信線で接続した空気調和機のシステムを構成してなり、
前記室内機が前記第１通信線の遮断により通信異常となった場合、通信異常の前記室内機を、前記第２通信線を介しグループ内の他の前記室内機を通じて制御することを特徴とする空気調和機の制御方法。
【請求項２】
室内機と制御信号を送受信する室外送受信手段を備える複数台の室外機と、前記室外機と制御信号を送受信する第１室内送受信部と他の室内機と制御信号を送受信する第２室内送受信部を備える複数台の室内機からなり、前記室外送受信手段と前記第１室内送受信部とを共通の第１通信線で接続すると共に、前記室内機をグループ分けしてグループ内の前記第２室内送受信部同士を第２通信線で接続し、グループ毎に前記室外機の夫々を割り当てた空気調和機のシステムを構成してなり、
前記室内機が前記第１通信線の遮断により通信異常となった場合、通信異常の前記室内機を、前記第２通信線を介しグループ内の他の前記室内機を通じて制御することを特徴とする空気調和機の制御方法。
【請求項３】
前記第２室内送受信部はグループ内の他の前記室内機から通信異常の情報を受信した場合、グループ内の他の前記室内機から送信元アドレスと制御信号を受信し、前記送信元アドレスと制御信号を前記第１室内送受信部に送信し、前記第１室内送受信部は前記室外送受信手段に前記第２室内送受信部よりの前記送信元アドレスと制御信号を送信し、前記室外送受信手段よりのグループ内の他の前記室内機への制御信号を受信し、前記第２室内送受信部へグループ内の他の前記室内機への制御信号を送信する構成としてなることを特徴とする請求項１または請求項２記載の空気調和機の制御方法。
【請求項４】
前記第２室内送受信部がグループ内の他の前記室内機から通信異常の情報を受信しかつ制御信号の送信要求がある場合、前記送信元アドレスと制御信号を、前記室外送受信手段に送信するように設定し、前記第１室内送受信部が設定した前記送信元アドレスと制御信号を、通信異常の前記室内機の情報として前記室外送受信手段に送信することを特徴とする請求項３記載の空気調和機の制御方法。
【請求項５】
前記第１通信線に前記室内機の通信状態を監視する監視手段を接続し、グループ内の前記室内機全部が通信異常となった場合、前記監視手段に異常情報を表示することを特徴とする請求項３または請求項４記載の空気調和機の制御方法。
【発明の詳細な説明】
【０００１】
【発明の属する技術分野】
本発明は、空気調和機のシステムにおける空気調和機の制御方法に係り、特に、通信異常が発生した場合の制御方法に関するものである。
【０００２】
【従来の技術】
従来より複数台の、室外機と室内機とを通信線で接続した空気調和機のシステムが知られている。この種の空気調和機のシステムにおいては、信号線の遮断や、室内機の故障などにより通信異常が発生した場合、システムの稼動状態を変更し通信異常により支障がないように制御されている。
【０００３】
例えば、図７に示すように、室外機８と複数台の室内機１１とを、１階から４階を夫々グループ別にして冷媒配管１０で接続すると共に、室外機８の制御部と全ての室内機１１の制御部とを共通の通信線１２で接続した空気調和システムにおいて、グループ毎に設けられ、それぞれ自己のグループの室内機１１の制御部の故障や自己のグループの信号線１２の断線のとき、自己のグループを迂回する第２の通信線１３を介して、他のグループの室内機１１の制御部にインテリジェントコントローラ９からの信号を送信する交換ユニット１４を備えている。
【０００４】
このように、図７に示す空気調和システムでは、第２の通信線１３を介して自己のグループを迂回することにより、システム全体のダウンを防止している（特許文献１参照）。
【０００５】
また、その他の例では、図８に示すように、室外ユニット１５と室内ユニット１６とを、冷媒配管（図示せず）によって接続すると共に、室外ユニット１５を制御する室外制御ユニット１７と室内ユニット１６を制御する室内制御ユニット１８とを通信線１９によって接続し、各室外ユニット１５と集中制御するための集中コントローラ２０が送受信可能に通信線２１によって接続した空調システムにおいて、室外制御ユニット１７と室内制御ユニット１８を接続する通信線１９が断線などにより通信異常が生じたとき、その通信線１９が存在する室内外の制御ユニット１７、１８を遮断状態とする通信路遮断手段２２を備えている。
【０００６】
この図８に示す空調システムでは、通信路遮断手段２２を遮断状態とし、通信異常が生じた室内外の制御ユニット１７、１８を、他の正常な室内外の制御ユニット１７、１８から切り離してシステム全体の機能停止を回避している（特許文献２参照）。
【０００７】
【特許文献１】
特開平１０−１２２６３４号公報（第４−５頁、図１）
【特許文献２】
特開平８−１７０８５１号公報（第２−３頁、図１）
【０００８】
【発明が解決しようとする課題】
以上のように、特許文献１および特許文献２のシステムでは、任意の室内機（室内ユニット）にて通信線の遮断などにより通信異常が発生した場合、その室内機（室内ユニット）は室外機（室外ユニット）と通信を行なうことが出来ず、通信異常の発生した通信線に接続される室内機（室内ユニット）をシステムから切り離して運転を継続する構成となっており、通信異常が発生した室内機（室内ユニット）が存在しないものとして運転を継続するため、この室内機分の能力が低下してしまうといった問題を有していた。
【０００９】
本発明は、上記の問題点に鑑みなされたもので、任意の室内機において、通信線の遮断により通信異常が発生した場合においても能力を落とさずに、システムの稼動を可能とする空気調和機の制御方法を提供することを目的とするものである。
【００１０】
【課題を解決するための手段】
請求項１に記載の発明は、室内機と制御信号を送受信する室外送受信手段を備える一台の室外機と、前記室外機と制御信号を送受信する第１室内送受信部と他の室内機と制御信号を送受信する第２室内送受信部を備える複数台の室内機からなり、
前記室外送受信手段と前記第１室内送受信部とを共通の第１通信線で接続すると共に、前記室内機をグループ分けしてグループ内の前記第２室内送受信部同士を第２通信線で接続した空気調和機のシステムを構成してなり、
前記室内機が前記第１通信線の遮断により通信異常となった場合、通信異常の前記室内機を、前記第２通信線を介しグループ内の他の前記室内機を通じて制御することを特徴とするものである。
【００１１】
このような構成においては、任意の室内機において、通信線の遮断により通信異常が発生した場合においても能力を落とさずに、システムを稼動することがききる。
【００１２】
請求項２に記載の発明は、室内機と制御信号を送受信する室外送受信手段を備える複数台の室外機と、前記室外機と制御信号を送受信する第１室内送受信部と他の室内機と制御信号を送受信する第２室内送受信部を備える複数台の室内機からなり、
前記室外送受信手段と前記第１室内送受信部とを共通の第１通信線で接続すると共に、前記室内機をグループ分けしてグループ内の前記第２室内送受信部同士を第２通信線で接続し、グループ毎に前記室外機の夫々を割り当てた空気調和機のシステムを構成してなり、
前記室内機が前記第１通信線の遮断により通信異常となった場合、通信異常の前記室内機を、前記第２通信線を介しグループ内の他の前記室内機を通じて制御することを特徴とするものである。
【００１３】
このような構成においては、請求項１に記載の発明と同様に、任意の室内機において、能力を落とさずに、システムを稼動することがききる。
【００１４】
請求項３に記載の発明は、請求項１または請求項２に記載の発明において、任意の室内機における制御信号の仲介を容易にするために、前記第２室内送受信部はグループ内の他の前記室内機から通信異常の情報を受信した場合、グループ内の他の前記室内機から送信元アドレスと制御信号を受信し、前記送信元アドレスと制御信号を前記第１室内送受信部に送信し、前記第１室内送受信部は前記室外送受信手段に前記第２室内送受信部よりの前記送信元アドレスと制御信号を送信し、前記室外送受信手段よりのグループ内の他の前記室内機への制御信号を受信し、前記第２室内送受信部へグループ内の他の前記室内機への制御信号を送信する構成としてなることを特徴とするものである。
【００１５】
請求項４に記載の発明は、請求項３に記載の発明において、任意の室内機の構成を簡単にするために、前記第２室内送受信部がグループ内の他の前記室内機から通信異常の情報を受信しかつ制御信号の送信要求がある場合、前記送信元アドレスと制御信号を、前記室外送受信手段に送信するように設定し、前記第１室内送受信部が設定した前記送信元アドレスと制御信号を、通信異常の前記室内機の情報として前記室外送受信手段に送信することを特徴とするものである。
【００１６】
請求項５に記載の発明は、請求項３または請求項４に記載の発明において、グループ内の前記室内機全部が通信異常となった場合の対処を容易にするために、前記第１通信線に前記室内機の通信状態を監視する監視手段を接続し、前記監視手段に異常情報を表示することを特徴とするものである。
【００１７】
【発明の実施の形態】
以下、本発明の一実施形態例を図面を用いて説明する。
図１は本発明による空気調和機の制御方法を実現するシステム構成図、図２はは本発明による遮断状態が発生した場合の動作を説明する部分構成図であり、（ａ）は室内機からの送信動作、（ｂ）は室外機からの送信動作を示す図、図３は図２（ａ）の通信異常の室内機の送信手順を示す図、図４は通信異常の室内機とグループ化された室内機の送受信手順を示す図、図５は図２（ｂ）の動作を受け通信異常の室内機の受信手順を示す図、図６は通信異常の室内機とグループ化された室内機の受信手順を示す図である。
【００１８】
図１において、１は室外機、２Ａ、２Ｂは室内機、３は第１通信線で例えば、ＬＡＮ、インターネットなどのネットワーク通信線、４は第２通信線、５Ａ、５Ｂは第２室内送受信部、６Ａ、６Ｂは第１室内送受信部、７は室外送受信手段である。
【００１９】
これらの構成の関係を説明すると、１台の室外機１には、室内機２Ａ、２Ｂと制御信号を送受信する室外送受信手段７を備え、４台の室内機２Ａ、２Ｂには、前記室外機１と制御信号を送受信する第１室内送受信部６Ａ、６Ｂと他の室内機２Ａ、２Ｂと制御信号を送受信する第２室内送受信部５Ａ、５Ｂからなる室内送受信手段を備えてなり、室外送受信手段７と第１室内送受信部６Ａ、６Ｂとを共通の第１通信線３で接続すると共に、４台の室内機２Ａ、２Ｂを２台ずつにグループ分けしてグループ内の室内機２Ａ、２Ｂ同士を第２通信線４で接続した空気調和機のシステムとなっている。
そして、室外機１と室内機２Ａ、２Ｂとの制御信号の送受信は、通常、共通の第１通信線３を介して行なわれる。
【００２０】
このように空気調和機のシステムが稼動している場合、室外機１は、各室内機２Ａ、２Ｂの第１室内送受信部６Ａ、６Ｂよりの第１通信線３へと送信する制御信号を受信して、各室内機２Ａ、２Ｂの要求する能力情報に応じて動作し、各室内機２Ａ、２Ｂは、室外機１の室外送受信手段７よりの第１通信線３へと送信する制御信号を受信して、室外機１の運転状態を認識し、対応する動作が行なわれる。
【００２１】
ところで、第１通信線３の遮断により室内機２Ａ、２Ｂにて通信異常が発生した場合、室内機２Ａ、２Ｂの第１室内送受信部６Ａ、６Ｂから送信される制御信号は、室外機１では受信できないため、室内機２Ａ、２Ｂが室外機１へと要求する能力は伝達されず、室外機１は室内機２Ａ、２Ｂが要求する能力が欠落した状態で動作することになり、一方、室内機２Ａ、２Ｂでは室外機１の室外送受信手段７が第１通信線３へと送信する制御信号を受信できないため、室外機１の運転状態に対応した動作を行なうことが出来ない。
【００２２】
このような場合、動作を継続して行なうための本発明の実施形態例の作用を、図２乃至図６を併用して説明する。
図２（ａ）に示すように、室内機２Ａに接続する第１通信線３の遮断により室内機２Ａにて通信異常が発生した場合、室内機２Ａが室外機１に要求する能力情報を送信するため、室内機２Ａの第２室内送受信部５Ａは、第２通信線４を介して、室内機２Ｂの第２室内送受信部５Ｂへと第１通信線３による通信異常の発生及び室内機２Ａの送信元アドレスを送信し、室内機２Ｂの第２室内送受信部５Ｂは室内機２Ａからの送信情報を受信し、室内機２Ａの送信元アドレスを保持する（図２▲１▼）。
その後、室内機２Ａは第１通信線３による通信異常が発生した状態で、第１通信線３へと送信すべき制御信号の送信要求が発生した場合（例えば、室内機２Ａがリモコンによる温度設定の変更、暖房から冷房への切換等の信号を受信した場合）、室内機２Ａの第２室内送受信部５Ａは第２通信線４を介して、室内機２Ｂの第２室内送受信部５Ｂへと送信要求を第１通信線３へ送信すべき制御信号を通知する（図２▲２▼）。
そして、室内機２Ｂの第１室内送受信部６Ｂは室内機２Ａからの制御信号の通知に基づき、通知された制御信号の情報を、図２▲１▼で保持した室内機２Ａの送信元アドレスと共に、第１通信線３へ送信する（図２▲３▼）。
この結果、室外機１は室内機２Ｂが第１通信線３へ送信した室内機２Ａの送信元アドレスの信号を受信し、室外機１は室内機２Ａが送信した制御信号として動作が行なわれる。
【００２３】
次に、図２（ｂ）に示すように、室外機１の室外送受信手段７が室内機２Ａが送信した制御信号を受けて、第１通信線３へと送信する制御信号を室内機２Ａにて通知するため、第１通信線３の遮断により室内機２Ａにて第１通信線３による通信異常が発生した場合、室内機２Ａの第２室内送受信部５Ａは第２通信線４を介して、室内機２Ｂの第２室内送受信部５Ｂへと第１通信線３による通信異常の発生及び室内機２Ａの送信元アドレスを送信し、室内機２Ｂの第２室内送受信部５Ｂは室内機２Ａからの送信情報を受信し、室内機２Ａの送信元アドレスを保持する（図２▲４▼）。
その後、室外機１の室外送受信手段７が第１通信線３へと制御信号を送信し（図３▲５▼）、室内機２Ｂの第１室内送受信部６Ｂは第１通信線３より送信先が室内機２Ａである制御信号を受信し、室内機２Ｂの第２室内送受信部５Ｂは第２通信線４を介して、室内機２Ａへとこの受信通知と制御信号の情報を送信する（図２▲６▼）。
この結果、室内機２Ａは室内機２Ｂからの送信情報を受け、この送信情報の制御信号を、室外機１に要求した能力情報に対する制御信号として、第１通信線３より受信した情報として室内機２Ａの動作が行なわれる。
【００２４】
以上の説明は、本発明の実施形態例の作用の概要であるが、図３から図６に示すように、室内機２Ａ、２Ｂ、室外機１の各送受信手順を詳細に説明する。
図３に示すように、まず、第１通信線３の遮断によりいずれかの室内機２Ａ、２Ｂにて通信異常発生中か否かを検出する（Ｓ１）。
例えば、室内機２Ａにて通信異常発生を検出した場合、第２通信線４（室内機２Ｂ）へ室内機２Ａの「送信元アドレス」と「通信異常発生」を付加した送信情報を送信し（Ｓ２）、いずれかの室内機２Ａ、２Ｂにて通信異常発生を検出しない場合、手順Ｓ３へ移行する。
次に、いずれかの室内機２Ａ、２Ｂにて第１通信線３へ送信要求が発生したか否かを検出し（Ｓ３）、送信要求発生を検出すると、いずれかの室内機２Ａ、２Ｂにて自身の「送信元アドレス」と「出力情報」（例えば、温度設定情報）の制御信号の送信情報をセットし（Ｓ４）、送信要求発生を検出しないと、現状運転を継続する。
その後、手順Ｓ４にて制御信号の情報がセットされたいずれかの室内機２Ａ、２Ｂのうち、前述のように通信異常発生中か否かを検出し（Ｓ５）、通信異常発生を検出した室内機２Ａである場合、室内機２Ａより第２通信線（室内機２Ｂ）へ送信要求、制御信号の送信情報を送信し（Ｓ６）、通信異常発生を検出した室内機２Ａでない場合、室内機２Ｂより第１通信線３へ制御信号の送信情報を送信する（Ｓ７）。
この結果、室外機１はいずれかの室内機２Ａ、２Ｂが送信した制御信号の送信情報に基づいて動作する。
【００２５】
図４に示すように、例えば、室内機２Ｂにて図３の手順Ｓ２を受けて第２通信線４より「通信異常発生」の送信情報を受信したか否かを検出し（Ｓ８）、「通信異常発生」の送信情報を受信した場合、「通信異常発生」の送信情報に付加された室内機２Ａの「送信元アドレス」を保持し（Ｓ９）、受信しない場合は手順Ｓ１０へ移行する。
次に、室内機２Ｂにて図３の手順Ｓ６を受けて第２通信線４より送信要求を受信したか否かを検出し（Ｓ１０）、送信要求を受信した場合、「送信元アドレス」と「出力情報」の制御信号の送信情報を、受信情報として格納し、室内機２Ａの第１通信線３への制御信号の送信情報として設定し（Ｓ１１）、受信しない場合は現状運転を継続する。
その後、手順Ｓ１１において室内機２Ｂにて設定した制御信号の送信情報を第１通信線３へ送信する（Ｓ１２）。
【００２６】
このようにして、室外機１においては、いずれかの室内機２Ａ、２Ｂより制御信号の送信情報を受信する。
図５に示すように、室外機１から対応するいずれかの室内機２Ａ、２Ｂに制御信号を送信した場合、例えば、室内機２Ａにて室外機１より第１通信線３へと送信する制御信号を受信したか否かを検出し（Ｓ１３）、制御信号を受信した場合、室内機２Ａは第１通信線３よりの制御信号の「受信情報」を格納し（Ｓ１４）、受信しない場合、室内機２Ａは通信異常が発生しているため、手順Ｓ１５へと移行する。
室内機２Ａは第２通信線４より「受信通知」を受信したか否かを検出し（Ｓ１５）、「受信通知」を受信した場合、室内機２Ａは室外機１より第１通信線３へと室内機２Ａに通知されたものとして、「受信情報」を格納し（Ｓ１６）、受信しない場合、室内機２Ａにて制御信号の送信情報を取得していないものとして、その運転状態を継続する。
このように、手順Ｓ１４と手順Ｓ１６において格納した「受信情報」に基づき、室内機２Ａの運転状態が制御される。
【００２７】
図６に示すように、例えば、室内機２Ｂが第１通信線３より制御信号を受信したか否かを検出し（Ｓ１７）、受信した場合、手順Ｓ１８へ、受信しない場合、その運転状態を継続する。
受信した制御信号の送信先が通信異常発生中の室内機２Ａの「送信元アドレス」か否か確認し（Ｓ１８）、「送信元アドレス」である場合、受信した制御信号の受信情報を第２通信線４（室内機２Ａ）への前述の「受信通知」と「受信情報」からなる送信情報として設定し（Ｓ１９）、「送信元アドレス」でない場合、その運転状態を継続する。
その後、手順Ｓ１９において室内機２Ｂにて設定した「受信通知」と「受信情報」の送信情報を第２通信線４へ送信する（Ｓ２０）。
この結果、室内機２Ａは室内機２Ｂからの送信情報を受け、この送信情報の「受信情報」に基づき、室外機１に要求した能力情報に対する制御信号として、室内機２Ａの動作が行なわれる。
【００２８】
前記実施形態例では、１台の室外機１と４台の室内機２Ａ、２Ｂを第１通信線３で接続し、４台の室内機２Ａ、２Ｂを２台ずつにグループ分けしてグループ内の室内機２Ａ、２Ｂ同士を第２通信線４で接続した場合について説明したが、本発明はこれに限るものでなく、１台の室外機１と複数台の室内機２Ａ、２Ｂを第１通信線３で接続し、室内機２Ａ、２Ｂをグループ分けしてグループ内の室内機２Ａ、２Ｂ同士を第２通信線４で接続した場合も適用できる。
また、図１に点線で示すように、複数台の室外機１と複数台の室内機２Ａ、２Ｂを第１通信線３で接続し、室内機２Ａ、２Ｂをグループ分けしてグループ内の室内機２Ａ、２Ｂ同士を第２通信線４で接続し、グループ毎に室外機１の夫々を割り当てた場合も適用できる。
【００２９】
前記実施形態例では、室外機１と室内機２Ａ、２Ｂを接続した空気調和機のシステムとした場合について説明したが、本発明はこれに限るものでなく、グループ内の前記室内機２Ａ、２Ｂ全部が通信異常となった場合の対処を容易にするために、図１に点線で示すように、前記第１通信線３に前記室内機２Ａ、２Ｂの通信状態を監視する監視手段１’を接続し、前記監視手段１’に異常情報を表示する場合も適用できる。
【００３０】
以上の説明のように、本発明の空気調和機の制御方法によれば、任意の室内機において、通信線の遮断により通信異常が発生した場合においても能力を落とさずに、システムの稼動を可能とする。
また、グループ内の他の前記室内機から送信元アドレスを受信し、前記室内機から制御信号の送信要求がある場合、前記室内機から制御信号を受信し、前記室外機１の室外送受信手段７にその制御信号を送信する室内送受信手段を構成したことにより、任意の室内機における制御信号の仲介を容易にすることができる。
【００３１】
また、前記室内送受信手段を第１室内送受信部６Ａ、６Ｂと第２室内送受信部５Ａ、５Ｂから構成して、前記室外機１とグループ内の他の前記室内機との送受信を夫々分担して処理するようにしたので、任意の室内機における制御信号の仲介を容易にすると共に、室内機の構成を簡単にすることができる。
【００３２】
更に、前記第１通信線３に前記室内機２Ａ、２Ｂの通信状態を監視する監視手段１’を接続し、前記監視手段１’に異常情報を表示する空気調和機のシステムを構成したことにより、グループ内の前記室内機２Ａ、２Ｂ全部が通信異常となった場合の対処を容易にすることができる。
【００３３】
【発明の効果】
請求項１に記載の発明は、室内機と制御信号を送受信する室外送受信手段を備える一台の室外機と、前記室外機と制御信号を送受信する第１室内送受信部と他の室内機と制御信号を送受信する第２室内送受信部を備える複数台の室内機からなり、
前記室外送受信手段と前記第１室内送受信部とを共通の第１通信線で接続すると共に、前記室内機をグループ分けしてグループ内の前記第２室内送受信部同士を第２通信線で接続した空気調和機のシステムを構成してなり、
前記室内機が前記第１通信線の遮断により通信異常となった場合、通信異常の前記室内機を、前記第２通信線を介しグループ内の他の前記室内機を通じて制御することを特徴とするものである。
【００３４】
このような構成においては、任意の室内機において、通信線の遮断により通信異常が発生した場合においても能力を落とさずに、システムを稼動することがききる。
【００３５】
請求項２に記載の発明は、室内機と制御信号を送受信する室外送受信手段を備える複数台の室外機と、前記室外機と制御信号を送受信する第１室内送受信部と他の室内機と制御信号を送受信する第２室内送受信部を備える複数台の室内機からなり、
前記室外送受信手段と前記第１室内送受信部とを共通の第１通信線で接続すると共に、前記室内機をグループ分けしてグループ内の前記第２室内送受信部同士を第２通信線で接続し、グループ毎に前記室外機の夫々を割り当てた空気調和機のシステムを構成してなり、
前記室内機が前記第１通信線の遮断により通信異常となった場合、通信異常の前記室内機を、前記第２通信線を介しグループ内の他の前記室内機を通じて制御することを特徴とするものである。
【００３６】
このような構成においては、請求項１に記載の発明と同様に、任意の室内機において、能力を落とさずに、システムを稼動することができる。
【００３７】
請求項３に記載の発明は、請求項１または請求項２に記載の発明において、前記第２室内送受信部はグループ内の他の前記室内機から通信異常の情報を受信した場合、グループ内の他の前記室内機から送信元アドレスと制御信号を受信し、前記送信元アドレスと制御信号を前記第１室内送受信部に送信し、前記第１室内送受信部は前記室外送受信手段に前記第２室内送受信部よりの前記送信元アドレスと制御信号を送信し、前記室外送受信手段よりのグループ内の他の前記室内機への制御信号を受信し、前記第２室内送受信部へグループ内の他の前記室内機への制御信号を送信する構成としてなることにより、任意の室内機における制御信号の仲介を容易にすることができる。
【００３８】
請求項４に記載の発明は、請求項３に記載の発明において、前記第２室内送受信部がグループ内の他の前記室内機から通信異常の情報を受信しかつ制御信号の送信要求がある場合、前記送信元アドレスと制御信号を、前記室外送受信手段に送信するように設定し、前記第１室内送受信部が設定した前記送信元アドレスと制御信号を、通信異常の前記室内機の情報として前記室外送受信手段に送信することにより、任意の室内機の構成を簡単にすることができる。
【００３９】
請求項５に記載の発明は、請求項３または請求項４に記載の発明において、前記第１通信線に前記室内機の通信状態を監視する監視手段を接続し、前記監視手段に異常情報を表示することにより、グループ内の前記室内機全部が通信異常となった場合の対処を容易にすることができる。
【図面の簡単な説明】
【図１】本発明による空気調和機の制御方法を実現するシステム構成図である。
【図２】本発明による遮断状態が発生した場合の動作を説明する部分構成図であり、（ａ）は室内機からの送信動作、（ｂ）は室外機からの送信動作を示す図である。
【図３】図２（ａ）の通信異常の室内機の送信手順を示す図である。
【図４】通信異常の室内機とグループ化された室内機の送受信手順を示す図である。
【図５】図２（ｂ）の動作を受け通信異常の室内機の受信手順を示す図である。
【図６】通信異常の室内機とグループ化された室内機の送受信手順を示す図である。
【図７】従来例１による空気調和システムの構成図である。
【図８】従来例２による空調システムの構成図である。
【符号の説明】
１  室外機
２Ａ、２Ｂ  室内機
３  第１通信線
４  第２通信線
５Ａ、５Ｂ  第２室内送受信部
６Ａ、６Ｂ  第１室内送受信部
７  室外送受信手段
【図１】
2004257639.tif 000003
【図２】
2004257639.tif 000004
【図３】
2004257639.tif 000005
【図４】
2004257639.tif 000006
【図５】
2004257639.tif 000007
【図６】
2004257639.tif 000008
【図７】
2004257639.tif 000009
【図８】
2004257639.tif 000010